【手続補正書】
【提出日】平成16年8月11日(2004.8.11)
【手続補正１】
【補正対象書類名】特許請求の範囲
【補正対象項目名】全文
【補正方法】変更
【補正の内容】
【特許請求の範囲】
【請求項１】
向き合った側壁を有するベルトコンベヤにおいて、
前記向き合った側壁に沿って該側壁の間に位置決めされた電動式ローラ及び少なくとも１つの他のローラが設けられており、
前記電動式ローラ及び前記少なくとも１つの他のローラの周囲に巻き掛けられた連続的なベルトが設けられており、前記電動式ローラが、前記ベルトコンベヤに沿って物品を移動させるために前記ベルトを駆動するために働き、前記ベルトが低い弾性特性を有しており、前記ベルトが、前記ローラの周囲に巻き掛けられた場合に最初に前記ベルトの長さ方向で少なくとも０．７５％だけ伸長させられることを特徴とする、ベルトコンベヤ。
【請求項２】
前記ベルトが、前記ローラの周囲に巻き掛けられた場合に最初に前記ベルトの長さ方向で少なくとも１％だけ伸長させられる、請求項１記載のベルトコンベヤ。
【請求項３】
前記ベルトが、前記ローラの周囲に巻き掛けられた場合に最初に前記ベルトの長さ方向で少なくとも１．５％だけ伸長させられる、請求項１記載のベルトコンベヤ。
【請求項４】
前記ベルトの前記低弾性特性が、前記ベルトに少なくとも２％の伸長を提供する、請求項１記載のベルトコンベヤ。
【請求項５】
前記ベルトの低弾性特性が、前記ベルトに少なくとも４％の伸長を提供する、請求項１記載のベルトコンベヤ。
【請求項６】
前記ベルトが、実質的に前記側壁の間の間隔に亘って延びている、請求項１記載のベルトコンベヤ。
【請求項７】
前記ベルトが、前記電動式ローラ及び前記少なくとも１つの他のローラに巻き掛けられた複数のベルトストリップを含む、請求項１記載のベルトコンベヤ。
【請求項８】
前記複数のベルトストリップが、前記電動式ローラ及び個々の端部ローラの周囲に巻き掛けられており、前記個々の端部ローラが、角度付けられた運搬区分を規定するために配置された複数の種々異なる長さのローラのそれぞれを含んでいる、請求項７記載のベルトコンベヤ。
【請求項９】
前記複数のベルトストリップの少なくとも幾つかが、前記複数のベルトストリップの前記少なくとも幾つかの、前記電動式ローラと前記個々の端部ローラとの間に位置決めされた前記種々異なる長さのローラの少なくとも別の１つによって支持されている、請求項８記載のベルトコンベヤ。
【請求項１０】
前記ベルト上の物品を検出するために働く物品センサが設けられている、請求項１記載のベルトコンベヤ。
【請求項１１】
前記物品センサに応答して前記電動式ローラを制御するために働く制御装置が設けられている、請求項１０記載のベルトコンベヤ。
【請求項１２】
前記コンベヤが、前記ベルト上に物品を蓄積するために働く、請求項１記載のベルトコンベヤ。
【請求項１３】
前記ベルトコンベヤが、傾斜部又は下降部に位置決めされている、請求項１記載のベルトコンベヤ。
【請求項１４】
前記ベルトコンベヤが、傾斜部又は下降部の前記１つに物品を蓄積するために働く、請求項１３記載のベルトコンベヤ。
【請求項１５】
前記電動式ローラが、ＡＣモータ、１２ボルトＤＣモータ、２４ボルトＤＣモータ、４２ボルトＤＣモータ、又は４８ボルトＤＣモータのうちの１つを含む、請求項１記載のベルトコンベヤ。
【請求項１６】
前記電動式ローラが、２４ボルトＤＣモータを含む、請求項１記載のベルトコンベヤ。
【請求項１７】
前記電動式ローラが、４２ボルトＤＣモータ又は４８ボルトＤＣモータのうちの１つを含む、請求項１記載のベルトコンベヤ。
【請求項１８】
前記電動式ローラ又は前記少なくとも１つの他のローラのうちの少なくとも１つが、前記ベルトの軌道を規定するための少なくとも１つのクラウンを有する、請求項１記載のベルトコンベヤ。
【請求項１９】
２つのローラの間において前記連続的なベルトを支持するために、前記電動式ローラと前記少なくとも１つの他のローラとの２つの間に少なくとも１つのスライダプレートが設けられている、請求項１記載のベルトコンベヤ。
【請求項２０】
前記連続的なベルトを支持する、間隔を置いて配置された複数の支持ローラが設けられている、請求項１記載のベルトコンベヤ。
【請求項２１】
ベルトアキュムレータにおいて、
向き合った側壁が設けられており、
少なくとも２つの直列ゾーンが設けられており、該少なくとも２つの直列ゾーンのそれぞれに、
前記向き合った側壁において該側壁の間に回転可能に取り付けられた電動式ローラ及び少なくとも１つの他のローラが設けられており、
前記電動式ローラ及び前記少なくとも１つの他のローラの周囲に巻き掛けられた連続的なベルトが設けられており、それぞれの前記直列ゾーンの前記連続的なベルトが低弾性特性を有し、前記ベルトが、前記ローラに巻き掛けられた場合に最初に前記ベルトの長さ方向で少なくとも０．７５％だけ伸長させられ、
前記ゾーンにおける物品を検出するために働く少なくとも１つの物品センサが設けられており、
少なくとも１つの制御装置が設けられており、該少なくとも１つの制御装置が、個々のゾーンに沿って物品を運搬するために前記ベルトを駆動するために、少なくとも１つの前記ゾーンの前記電動式ローラを制御するために働き、前記少なくとも１つの制御装置が、前記ベルトアキュムレータの前記ゾーンにおいて物品の蓄積を提供するために、前記物品センサに応答して前記電動式ローラを選択的に制御するために働くことを特徴とする、ベルトアキュムレータ。
【請求項２２】
前記少なくとも１つの制御装置が、１つ又は２つ以上の前記少なくとも２つの直列ゾーンにおける物品の蓄積を提供するために、それぞれの前記少なくとも２つの直列ゾーンの前記電動式ローラを、他の直列ゾーンの他の電動式ローラから独立して制御するために働く、請求項２１記載のベルトアキュムレータ。
【請求項２３】
前記ベルトが、前記ローラの周囲に巻き掛けられる場合に最初に前記ベルトの長さ方向で少なくとも１％だけ伸長させられる、請求項２１記載のベルトアキュムレータ。
【請求項２４】
前記ベルトが、前記ローラの周囲に巻き掛けられる場合に最初に前記ベルトの長さ方向で少なくとも１．５％だけ伸長させられる、請求項２１記載のベルトアキュムレータ。
【請求項２５】
前記ベルトの前記低弾性特性が、前記ベルトに少なくとも２％の伸長特性を提供する、請求項２１記載のベルトアキュムレータ。
【請求項２６】
前記ベルトの前記低弾性特性が、前記ベルトに少なくとも４％の伸長特性を提供する、請求項２１記載のベルトアキュムレータ。
【請求項２７】
前記ベルトアキュムレータが、傾斜部又は下降部のうちの１つに位置決めされている、請求項２１記載のベルトアキュムレータ。
【請求項２８】
前記ベルトアキュムレータが、傾斜部又は下降部のうちの前記１つにおいて物品を蓄積するために働く、請求項２７記載のベルトアキュムレータ。
【請求項２９】
それぞれの前記少なくとも２つのゾーンの前記電動式ローラが、ＡＣモータ、１２ボルトＤＣモータ、２４ボルトＤＣモータ、４２ボルトＤＣモータ又は４８ボルトＤＣモータのうちの１つを含む、請求項２１記載のベルトアキュムレータ。
【請求項３０】
それぞれの前記少なくとも２つのゾーンの前記電動式ローラが、２４ボルトＤＣモータを含む、請求項２１記載のベルトアキュムレータ。
【請求項３１】
それぞれの前記少なくとも２つのゾーンの前記電動式ローラが、４２ボルトＤＣモータ又は４８ボルトＤＣモータのうちの１つを含む、請求項２１記載のベルトアキュムレータ。
【請求項３２】
前記電動式ローラ又は前記少なくとも１つの他のローラのうちの少なくとも１つが、前記ベルトの軌道を規定するための少なくとも１つのクラウンを有する、請求項２１記載のベルトアキュムレータ。
【請求項３３】
それぞれの前記ゾーンが、２つのローラの間において個々のゾーンの前記連続的なベルトを支持するために、前記電動式ローラと前記少なくとも１つの他のローラとの２つの間に少なくとも１つのスライダプレートを有する、請求項２１記載のベルトアキュムレータ。
【請求項３４】
それぞれの前記ゾーンが、前記連続的なベルトを支持する、間隔を置いて配置された複数の支持ローラを有する、請求項２１記載のベルトアキュムレータ。
【請求項３５】
前記ベルトが、実質的に前記側壁の間の間隔に亘って延びた幅を有する、請求項２１記載のベルトアキュムレータ。
【請求項３６】
搬送経路から排出された物品を搬送経路から離れる方向に運搬するために、主搬送経路に沿って位置決めされるように構成された、角度付けられたコンベヤ区分において、該角度付けられたコンベヤ区分が、搬送経路に対して所定の角度を成して位置決め可能であり、前記角度付けられたコンベヤ区分に、
向き合った側壁と、搬送経路の側部に隣接して位置決めするために前記角度付けられたコンベヤの角度付けられた係合縁部を規定する角度付けられたフレーム部分とが設けられており、
電動式ローラ及び複数の他のローラを含む複数のローラが設けられており、前記ローラの少なくとも幾つかが、他のローラとは異なる長さを有し、前記種々異なる長さのローラが、前記角度付けられたフレーム部分と、前記側壁の一方とに取り付けられておりかつ、角度付けられたローラ運搬面を規定するために前記角度付けられたコンベヤに沿って、短い順に配置されており、
複数のベルトストリップが設けられており、該ベルトストリップの少なくとも幾つかが、他のベルトストリップとは異なる長さを有しかつ、前記電動式ローラ及び個々の端部ローラに巻き掛けられており、前記個々の端部ローラが、前記種々異なる長さのローラのうちの異なる１つを含み、前記ベルトストリップ及び前記ローラが、搬送経路に隣接して位置決め可能な角度付けられた係合縁部を備えた、前記角度付けられたコンベヤ区分に沿った、ベルトを有する運搬面を規定していることを特徴とする、角度付けられたコンベヤ区分。
【請求項３７】
前記ベルトストリップが、低弾性ベルトストリップ材料から成る、請求項３６記載の角度付けられたコンベヤ区分。
【請求項３８】
前記ベルトストリップが、前記ローラの周囲に巻き掛けられる場合に最初に前記ベルトストリップの長さ方向で少なくとも０．７５％だけ伸長させられる、請求項３７記載の角度付けられたコンベヤ区分。
【請求項３９】
前記ベルトストリップが、前記ローラの周囲に巻き掛けられる場合に最初に前記ベルトストリップの長さ方向で少なくとも１％だけ伸長させられる、請求項３７記載の角度付けられたコンベヤ区分。
【請求項４０】
前記ベルトストリップが、前記ローラの周囲に巻き掛けられる場合に最初に前記ベルトストリップの長さ方向で少なくとも１．５％だけ伸長させられる、請求項３７記載の角度付けられたコンベヤ区分。
【請求項４１】
前記ベルトストリップの前記低弾性ベルト材料が、前記ベルトストリップに少なくとも２％の伸長特性を提供する、請求項３７記載の角度付けられたコンベヤ区分。
【請求項４２】
前記ベルトストリップの前記低弾性ベルト材料が、前記ベルトストリップに少なくとも４％の伸長特性を提供する、請求項３７記載の角度付けられたコンベヤ区分。
【請求項４３】
前記ベルトストリップは、前記ローラによって可動に支持されている、請求項３６記載の角度付けられたコンベヤ区分。
【請求項４４】
前記ベルトストリップの少なくとも幾つかが、少なくとも幾つかの前記ベルトストリップの前記電動式ローラと前記個々の端部ローラとの間に位置決めされた前記種々異なる長さのローラのうちの少なくとも１つによって支持されている、請求項３６記載の角度付けられたコンベヤ区分。
【請求項４５】
前記電動式ローラが、前記角度付けられたフレーム部分とは反対側の、前記角度付けられたコンベヤ区分の端部に位置決めされている、請求項３６記載の角度付けられたコンベヤ区分。
【請求項４６】
前記電動式ローラが、該電動式ローラ上で前記複数のベルトストリップの軌道を規定するために働く複数の軌道規定装置を有する、請求項３６記載の角度付けられたコンベヤ区分。
【請求項４７】
前記種々異なる長さのローラの少なくとも幾つかが、前記種々異なる長さのローラ上でのそれぞれの前記複数のベルトストリップの軌道を規定するために働く、対応する軌道規定装置を有する、請求項４６記載の角度付けられたコンベヤ区分。
【請求項４８】
前記軌道規定装置が、個々のローラの周囲に設けられたストリップ又はクラウンのうちの少なくとも１つを含む、請求項４７記載の角度付けられたコンベヤ区分。
【請求項４９】
前記電動式ローラが、前記搬送経路から排出された物品を受け取りかつ排出された物品を前記搬送経路から離れる方向に搬送するために前記ベルトストリップを駆動するために働く、請求項３６記載の角度付けられたコンベヤ区分。
【請求項５０】
前記電動式ローラが、物品を前記搬送経路に向かって搬送しかつ物品を前記搬送経路に導入するために前記ベルトストリップを駆動するために働く、請求項３６記載の角度付けられたコンベヤ区分。
【請求項５１】
前記電動式ローラが、ＡＣモータ、１２ボルトＤＣモータ、２４ボルトＤＣモータ、４２ボルトＤＣモータ又は４８ボルトＤＣモータのうちの１つを含む、請求項３６記載の角度付けられたコンベヤ区分。
【請求項５２】
前記電動式ローラが２４ボルトＤＣモータを含む、請求項３６記載の角度付けられたコンベヤ区分。
【請求項５３】
前記導電式ローラが、４２ボルトＤＣモータ又は４８ボルトＤＣモータのうちの１つを含む、請求項３６記載の角度付けられたコンベヤ区分。
【請求項５４】
前記種々異なる長さのローラが、該種々異なる長さのローラの整列した端部が前記側壁のうちの１つに取り付けられておりかつ該側壁に沿って整列させられてかつ前記種々異なる長さのローラの反対側の端部が前記角度付けられたフレーム部分に取り付けられながら、配置されている、請求項３６記載の角度付けられたコンベヤ区分。